(57)【特許請求の範囲】
【請求項１】
互いに近接し、歩行者用通路として用いることが可能な第一の通路面（２）と、第二の通路面（３）との間の通路として利用可能であり、上記第一の通路面（２）と、上記第二の通路面（３）との間の長手方向における距離を変化可能であるタイプの長手方向連結部であって、
実質的に平面的な上面（５）を有し、相互に取り付けられた複数の横断スラット（４）を備え、
上記横断スラット（４）のそれぞれは、ピボット部（６）によって、隣接する横断スラット（４）に対して取り付けられており、上記横断スラット（４）は、上記ピボット部（６）によって回転可能となり、上記長手方向連結部材（１）の上面の連続性が維持されており、
上記第一の通路面（２）に取り付けられた第一の中間面（１０）と、
上記第二の通路面（３）に取り付けられた第二の中間面（１３）とをさらに備え、
上記第一の中間面（１０）および第二の中間面（１３）は、上記横断スラット（４）を支持するように設計され、
上記第二の中間面（１３）の少なくとも一部は、上記第一の中間面（１０）に支持されており、
上記第一の中間面（１０）および第二の中間面（１３）の間の支持領域は、上記第一の通路面（２）と上記第二の通路面（３）との間の距離に応じて変化し、
上記横断スラット（４）は、上記第一の通路面（２）に直接取り付けられた支持曲面（８）によってさらに支持されており、
上記第一の通路面（２）は、その端部において、傾斜下面（１６）を備え、
上記長手方向連結部（１）の上面（５）より下方において、上記第一の通路面（２）と上記第二の通路面（３）との間の距離に応じて、上記ピボット部（６）によって上記横断スラット（４）が互いに相対的に回転することによって、上記横断スラット（４）のうちのいくつかは、上記第一の通路面（２）の下に隠れることを特徴とする長手方向連結部材。
【請求項２】
上記横断スラット（４）は、上記第一の中間面（１０）に支持された第一の支持面（９）、および上記第二の中間面（１３）に支持された第二の支特面（１２）によって支持されていることを特徴とする請求項１に記載の長手方向連結部材。
【請求項３】
上記第一の支持面（９）および上記第二の支特面（１２）は、横手方向において互い違いに配置されていることを特徴とする請求項１に記載の長手方向連結部材。
【請求項４】
上記第一の通路面（２）の傾斜下面（１６）は、少なくとも一つの付加的支持部材（１７）を介して、上記第一の通路面（２）の下に隠れている横断スラット（４）によって支持されることを特徴とする請求項１〜３のいずれか１項に記載の長手方向連結部材。
【請求項５】
上記横断スラット（４）は、当該横断スラット（４）を保護する保護部材（１１）をその各端部に備えるとともに、摩擦が生じないように上記長手方向連結部材（１）の位置を定める固定構造物（７）を備えることを特徴とする請求項１〜４のいずれか１項に記載の長手方向連結部材。
【請求項６】
上記第一の通路面（２）の下に隠れている、上記横断スラット（４）に連結された張力発生手段（１８、１９）を備えることを特徴とする請求項１〜５のいずれか１項に記載の長手方向連結部材。
【発明の詳細な説明】
【技術分野】
【０００１】
本発明は、二つの近接する通路面間の距離を変化させ、二つの近接する通路面間の連続性を維持し、歩行者が通路として利用可能な面を形成する長手方向連結部に関する。上記長手方向連結部において許容される、二つの近接する通路面間の距離の変化は短く、この距離の変化は、温度変化や使用条件の変化、または製作交差や組立公差、または使用による上記近接する通路面に関わる構成要素の伸び、といった理由によるものである。
【背景技術】
【０００２】
様々な技術分野に適用される移動可能な面を有する必要性を、技術的に解決しようとする、多くの発明がある。これらの発明のうちのいくつかは、ブラインドの考え方を基盤としており、主に平面に従って配置された、相互に取り付けられた連続したスラットまたは部材を使用している。上記スラットまたは部材は、巻胴に巻きつけられ、上記巻胴の回転によって、当該スラットはこの巻胴の周辺を取り囲むような位置を占め、水平面の長さは変化する。
【０００３】
応用例の一つが、特許US2958083Aに示されており、上記特許では、この考え方が、スイミングプールを覆うために適用されている。特許WO9708408Aのような他の特許は、この考え方、または他のタイプのカバーを用いて、カバーを掛ける、またはカバーを外す機構を、実現しようとしている。
【０００４】
特許US4341253Aは、自動車修理所にカバーを掛ける同等の機構を用いており、特許US1707287Aは、火災からの保護の機能を果たす垂直な扉を形成する類似の考え方を使用している。特許US2173900Aは、エスカレータを保護するスラットからなるカバーを適用しており、当該カバーは上記機械それ自身の一部を形成するものではない。
【０００５】
また、開口している通路およびエスカレータのピットカバーに対する、別の解決策を説明する特許もある。例えば、特許JP8188365Aは、必要な労力を削減するために、メンテナンスピットカバーを開く機構の、様々な解決策について説明している。
【０００６】
要約すれば、エスカレータの開口しているピットカバー向けの機構や、ブラインドのスラットを動かす機構に加えて、ブラインドのスラットによる様々なカバー機構を説明している、数々の発明があると言える。
【発明の概要】
【発明が解決しようとする課題】
【０００７】
本発明は、二つの固定されたピットカバーの間において、二つのピットカバー間の相対的な距離が様々な理由により変化し、いかなる手動操作または機械操作の機構を適用することなく、エスカレータまたは動く通路の利用者のための、通路として利用可能である連続な面を形成する、長手方向連結部を実現するために、ブラインドの考え方を適用しようとしている。
【０００８】
いくつかのエスカレータまたは動く歩道の発明において、段または搭載台の反転する位置とコームとの間の、相対的な位置は、上記位置が従来の段または搭載台の鎖を通過する場合においても、その場所で上記段または搭載台が相互に取り付けられ、連続的な帯を形成する場合においても、固定されている。これが上部で生じた場合には、特別な処置はなんら必要ない。しかし、当該段または搭載台の鎖、または、上記段または搭載台により形成された帯が、張力を与えられる必要がある場合には、上記位置は上記固定部に関して変化する。それゆえ、コームの当該位置が段もしくは搭載台の上記帯に関して保持されている場合には、当該近接する面の間の長さを変えることができる面を有する必要がある。
【課題を解決するための手段】
【０００９】
本発明は、互いに近接し、歩行者用通路として利用可能である第一の通路面と第二の通路面との間の通路として利用可能であり、上記第一の面と上記第二の面との間の長手方向における距離を変化可能である面を形成するタイプの長手方向連結部によって、現行技術において存在する問題を解決する。当該面は、近接する上記第一の通路面および上記第二の通路面と同等の強固さを有し、歩行者の通路を支持する機能を有する。
【００１０】
上記長手方向連結部は、実質的に平面的な上面を形成する、相互に取り付けられた複数の横断スラットを有している。上記長手方向連結部の上記横断スラットのそれぞれは、ピボット部によって、隣接する横断スラットに対して取り付けられており、当該横断スラットは、上記ピボット部によって回転可能となり、上記長手方向連結部の上面の連続性が維持されている。
【００１１】
さらに、上記長手方向連結部は、上記スラットを支持するように設計された中間面を有しており、これらの中間面は、近接する上記第一の通路面および上記第二の通路面に取り付けられている。
【００１２】
つまり、さらに具体的に言うと、上記長手方向連結部は、上記横断スラット（４）を支持するように設計された、上記第一の通路面に取り付けられた第一の中間面、および、上記第二の通路面に取り付けられた第二の中間面をさらに有している。上記第二の中間面の少なくとも一部は、上記第一の中間面に支持されており、上記第一の中間面および上記第二の中間面と間の支持領域は、上記第一の通路面と上記第二の通路面との間の距離に応じて変化する。
【００１３】
上記横断スラットは、上記第一の中間面に支持された第一の支持面、および上記第二の中間面に支持された第二の支持面によって、支持されていることが好ましい。上記第一の支持面および上記第二の支持面は、横手方向において互い違いに配置されていることが好ましい。
【００１４】
さらに、上記横断スラットは、上記第一の通路面に直接取り付けられた支持曲面によっても支持されており、当該第一の支持面は、その端部において、傾斜下面を備え、それにより、上記長手方向連結部の上面より下方において、当該第一の通路面と上記第二の通路面との距離に応じて、上記ピボット部によって、上記横断スラットが互いに相対的に回転することによって、上記横断スラットのいくつかは、この第一の通路面の下に隠れる。ゆえに、近接する上記第一の通路面と上記第二の通路面との間の距離が、その設計上考えられる最大のものであった場合、少数のスラットが、上記第一の支持面の下に隠れる。他方、当該距離が最少のものであった場合、上記距離が最大であった場合に比べ、より多くの数のスラットが、上記第一の通路面の下に隠れ、それゆえ、視認可能なスラットの数は、より少なくなる。
【００１５】
上記第一の通路面の、上記傾斜下面は、少なくとも一つの付加的支持部材を介して、この第一の通路面の下に隠れている上記横断スラットによって特に支持される。これにより、第一の通路面と第二の通路面との間における、変わり目の部分が、より強固なものとなる。
【００１６】
全ての表面および支持部材は、歩行者が通行可能であるように、十分な構造的強度、および抵抗、および好適な滑り止め特性を有している。
【００１７】
さらに、上記スラット、および上記スラットを支持する支持面は、両方とも、近接する上記第一の通路面および上記第二の通路面との間の距離が変化するときに、摩擦が発生しても、劣化が生じない特性を有する材料でできていることが好ましい。
【００１８】
本発明の対象である上記長手方向連結部の上記横断スラットは、当該横断スラットを保護する保護部材をその各端部に備えるとともに、摩擦が生じないように上記長手方向連結部材の位置を定める固定構造物を備えることが望ましい。これにより、固定構造物に対して相対的に運動するように、上記スラットが、固定構造物の間に横方向に配置される場合、または設置作業および撤去作業が行われる間、上記スラットおよび上記固定構造物は両方とも、摩擦から保護される。
【００１９】
さらに、特定の実施例によれば、本発明は、上記第一の通路面の下に隠れている、上記横断スラットに連結された張力発生手段を備えている。これらの張力発生手段は、重りを配置する、もしくはバネを配置する、もしくは他の類似の手段を配置する、といったものであってもよく、これにより、上記張力は安定性の確保に寄与し、上記スラットの運動は、相互の横方向の運動、または、近接する上記第一の通路面および上記第二の通路面との間の距離の変化がない場合に、カバーの使用可能な面の量を変化させる長手方向の運動、または、歩行者が通行時に、騒音を発生させる垂直方向の運動であっても、抑制されることができる。
【００２０】
本発明の好適な一適用例は、エスカレータおよび動く通路の利用者によって、通路として利用可能な面としての機能を果たす。この構成において、例えば、段または搭載台の反転する位置とコームとの間の位置が固定され、上記段または搭載台の鎖、または上記段または搭載台により形成された帯が、張力を与えられる必要があるような、コームの機構を利用することにより、コームプレートの位置は、固定されたピットカバーに対して相対的に運動する。
【００２１】
本発明のさらなる理解を助けるために、一連の図面を参照している本発明の一実施例が、実例的かつ非限定的な方法で、以下に示されている。
【図面の簡単な説明】
【００２２】
【図１】相対的な距離が調整される二つの近接する通路面によって形成され、長手方向連結部、および、上記長手方向連結部の支持面を形成する、完成した使用可能な面の組立部の、等角図法による平面図である。
【図２】相互に取り付けられた一連の横断スラットの断面側面図である。
【図３】上記横断スラット、および上記長手方向連結部の支持面によって形成される、上記長手方向連結部の面の等角図法による平面図である。
【図４】上記横断スラット、および上記長手方向連結部の支持面によって形成される、上記長手方向連結部の面の等角図法による底面図である。
【図５】上記近接する第一の通路面と第二の通路面との間の距離が最大である位置における、上記スラットの支持面の等角図法による平面図である。
【図６】上記近接する第一の通路面と第二の通路面との間の距離が最少である位置における、上記スラットの支持面の等角図法による平面図である。
【図７】相対的な距離が調整される二つの近接する通路面によって形成され、当該近接する第一の通路面と第二の通路面との間の距離が最大である場合において、上記長手方向連結部、および、近接する第一の通路面および第二の通路面のためのいくつかの通路面を形成する、使用可能な面の断面の側面図である。
【図８】相対的な距離が調整される二つの近接する通路面によって形成され、当該近接する第一の通路面と第二の通路面との間の距離が最少である場合において、上記長手方向連結部、および、近接する第一の通路面および第二の通路面のためのいくつかの通路面を形成する、利用可能な面の断面の側面図である。
【図９】バネを使うことによって、上記スラットに張力を与える、張力発生機構の側面図である。
【図１０】重りを使うことによって、上記スラットに張力を与える、張力発生機構の側面図である。
【発明を実施するための形態】
【００２３】
本発明の対象は、互いに近接し、歩行者用通路として用いることが可能な第一の通路面２および第二の通路面３の間に位置し、第一の通路面２と第二の通路面３との間の長手方向における距離を変更可能である、通路として使用可能なタイプの長手方向連結部である。
【００２４】
図からわかるように、長手方向連結部１は、相互に取り付けられた複数の横断スラット４から成り、横断スラット４は、実質的に平面的な上面５を形成する幾何構造を有している。横断スラット４のそれぞれは、ピボット部６によって、隣接する横断スラット４に対して取り付けられており、当該横断スラット４は、ピボット部６によって回転可能となり、長手方向連結部材１の上面の連続性が維持されている。
【００２５】
さらに、長手方向連結部１は、留め具１４によって、第一の通路面２に一体として取り付けられた、第一の中間面１０を有している。また、長手方向連結部１は、留め具１５によって、第二の通路面３に一体として取り付けられている、横断スラット４を支持するように設計された、第二の中間面１３を有している。
【００２６】
図、特に図７および図８からわかるように、第二の中間面１３の少なくとも一部は、第一の中間面１０によって支持されており、第二の中間面１３および第一の中間面１０の間の支持領域は、第一の通路面１と第二の通路面２との間の距離に応じて変化する。
【００２７】
近接する第一の支持面２と第二の支持面３との間の距離が最大値ｄ１であるとき、第二の中間面１３および第一の中間面１０の間の支持面は、最少となる。他方、当該距離が最小値ｄ２であるとき、第二の中間面１３および第一の中間面１０の間の支持面は、最大となる。
【００２８】
図４から図８に示された、本発明の好適な実施例によれば、横断スラット４は、第一の支持面９によって支持されており、この第一の支持面９は、第一の中間面１０および第二の支持面１２によって支持されており、第一の中間面１０および第二の支持面１２は、第二の中間面１３によって支持されている。さらに、図５および図６に示されているように、第一の支持面９および第二の支持面１２は、横手方向に互い違いに配置されていることが好ましい。
【００２９】
さらに、横断スラット４は、支持曲面８に支持されており、この支持曲面８は、第一の通路面２に直接取り付けられている。
【００３０】
支持曲面８、第一の支持面９、第二の支持面１２の材料は、近接する第一の通路面２と第二の通路面３との間の距離が変化するときに、スラット４の下面に摩擦が発生した場合に、劣化が生じないものである。
【００３１】
図７から図１０は、第一の通路面２が、その端部において、傾斜下面１６を有し、それにより、いくつかの横断スラット４が、当該第一の通路面２の下で、長手方向連結部１の上面５より下方に隠れることを示している。第一の通路面１と第二の通路面２との間の距離に応じて、ピボット部６によって、スラット４が互いに相対的に回転することによって、これが実現される。
【００３２】
ゆえに、近接する第一の通路面２および第二の通路面３との間の距離が、考えられる最大の距離ｄ１であった場合、一定数のスラット４が、第一の支持面２の下に隠れる。他方、当該距離が考えられる最少の距離ｄ２であった場合、上記距離がｄ１であった場合に比べ、より多くの数のスラット４が、第一の支持面２の下に隠れ、それゆえ、長手方向連結部１の利用可能な面を形成するスラット４の数は、より少なくなる。
【００３３】
図からわかるように、第一の通路面２の傾斜下面１６は、少なくとも一つの付加的支持部材１７を介して、第一の通路面２の下に隠れている横断スラット４に支持されることが望ましい。この構成により、近接する第一の通路面２および第二の通路面３の間における、変わり目の部分が、より強固なものとなる。
【００３４】
本発明の好適な実施例によれば、横断スラット４は、当該横断スラット４を保護するキャップまたは保護部材１１を、その各端部に備えるとともに固定構造物７を備え、固定構造物７において、上記長手方向連結部材１は、摩擦が生じないようにその位置が定められている。この保護部材１１は、図３および図４に示されている。
【００３５】
長手方向連結部１の特定の実施例によれば、上記長手方向連結部１は、第一の通路面２の下に隠れている、横断スラット４に連結された、張力発生手段１８、１９を有している。
【００３６】
第一の支持面２の真下に隠れているスラット４は、１つもしくは複数のバネ１８を配置する、１つもしくは複数の重りを配置する、他の類似の機構を配置する、といった方法による、張力発生機構を有していることが好ましい。これにより、当該張力は安定性の確保に寄与し、スラット４の運動は、横方向、または長手方向、または垂直方向の運動であっても、抑制できる。
【００３７】
本発明を明確に説明し、本発明の基本的な原則および本質が変わらなければ、上記の特定の実施例は、細部を変更することができることが、ここで述べられている。
【符号の説明】
【００３８】
上記図面において、以下の一連の部材が参照されている。
【００３９】
１  長手方向連結部
２  第一の利用者通路面
３  第二の利用者通路面
４  上記長手方向連結部の横断スラット
５  上記長手方向連結部の上面
６  ピボット部
７  固定構造物
８  支持曲面
９  第一の支持面
１０  第一の中間面
１１  上記スラットの端部を保護する保護部材
１２  第二の支持面
１３  第二の中間面
１４  第一の留め具
１５  第二の留め具
１６  傾斜下面
１７  付加的支持部材
１８  張力発生手段のバネ
１９  張力発生手段の重り
【図１】
0005864377.tif 000002
【図２】
0005864377.tif 000003
【図３】
0005864377.tif 000004
【図４】
0005864377.tif 000005
【図５】
0005864377.tif 000006
【図６】
0005864377.tif 000007
【図７】
0005864377.tif 000008
【図８】
0005864377.tif 000009
【図９】
0005864377.tif 000010
【図１０】
0005864377.tif 000011